(57)【要約】【課題】害虫による被害を受けることなく無農薬で葉菜を栽培するようにした葉菜の栽培方法を提供する。【解決手段】畝（１０）には苗（５０）を移植し、苗用穴（２１）が穿たれた織編布製又は不織布製の布片（２０）を敷設し、葉菜の苗の廻りを布片で覆うとともに、布片用穴（３１）を穿ったマルチングシート（３０）で布片が露出しかつ畝の地表が露出しないように覆う一方、畝の上方を蝶及び蛾の侵入を阻止し得る目開きのネット（４０）で覆う。また、種蒔きから苗採取に至る段階において苗床の上方を蝶及び蛾の侵入を阻止し得る目開きのネット（４０）で覆うのがよい。【選択図】　図２
2004113009.tif 000002
【特許請求の範囲】
【請求項１】
農薬を用いることなく、葉菜を栽培する方法であって、
畝に葉菜の苗を移植するとともに該移植した苗が成長し得る大きさの苗用穴が穿たれた織編布製又は不織布製の布片を敷設し、上記畝の地表を布片用穴を穿ったマルチングシートで覆って上記布片の少なくとも苗用穴の周囲部分を露出させる一方、
上記畝の上方を蝶及び蛾の侵入を阻止し得る目開きのネットで覆うようにしたことを特徴とする葉菜の無農薬栽培方法。
【請求項２】
上記移植すべき苗の採取するにあたり、苗床に種子を蒔いた後苗を採取するまでの間、上記苗床の上方を蝶及び蛾の侵入を阻止し得る目開きのネットで覆うようにした請求項１記載の葉菜の無農薬栽培方法。
【請求項３】
上記布片には通水性の布片を用いるようにした請求項１又は２記載の葉菜の無農薬栽培方法。
【請求項４】
上記マルチングシートには、黒色又は銀色のマルチングシートを用いるようにした請求項１ないし３のいずれかに記載の葉菜の無農薬栽培方法。
【請求項５】
キャベツ、白菜、レタス又ケールを栽培するようにした請求項１ないし４のいずれかに記載の葉菜の無農薬栽培方法。
【請求項６】
農薬を用いることなく葉菜を栽培するのに適したネットであって、
空間率が８０％以上、１個の目開きが１００ｍｍ２以下であり、蝶及び蛾の侵入を阻止し得ることを特徴とする葉菜無農薬栽培用のネット。
【請求項７】
上記目開きが四角形状をなし、その四角形の短辺の長さが１０ｍｍ以下である請求項６記載の葉菜無農薬栽培用のネット。
【発明の詳細な説明】
【０００１】
【発明の属する技術分野】
この発明は葉菜の無農薬栽培方法に関し、特に害虫による被害を受けることなく無農薬で葉菜を栽培するようにした方法に関する。
【０００２】
【従来の技術】
例えば、キャベツ、白菜、レタス、ケール等の葉菜を栽培する場合、蝶や蛾の幼虫やナメクジ等の害虫による被害が葉菜の収穫に大きな影響を与える。
【０００３】
通常、害虫による農作物の被害に対しては農薬を散布することによって害虫を駆除し、農作物の被害を予防することが行われている。
【０００４】
【発明が解決しようとする課題】
しかし、同一の農薬を長期にわたって使用し続けると、害虫が農薬の薬効に対して耐性を示すようになることから、使用量が次第に増加し、農作物に残留する農薬の量も増え、人体に対する悪影響が懸念されるばかりでなく、害虫ばかりでなく益虫をも駆除してしまい、生態系を崩し、環境に悪影響を与えるという問題がある。
【０００５】
本発明はかかる問題点に鑑み、害虫による被害を確実に防止しつつ、無農薬で葉菜を栽培するようにした葉菜の栽培方法を提供することを課題とする。
【０００６】
【課題を解決するための手段】
本件発明者は上述の課題を解決すべく鋭意研究を重ねたところ、ネットによって蝶や蛾の侵入を防止するようにすると、葉菜への蝶や蛾の産卵が阻止されて青虫による葉菜の被害を防止でき、又葉菜の畝の全体をマルチングシートで覆うとともに、葉菜の茎廻りの地表を布で覆うと、ナメクジが畝の土中や地表から葉菜に這ってくるのを阻止でき、ナメクジによる葉菜の被害を防止できることを着目するに至った。
【０００７】
そこで、本発明に係る葉菜の無農薬栽培方法は、農薬を用いることなく、葉菜を栽培する方法であって、畝に葉菜の苗を移植するとともに該移植した苗が成長し得る大きさの苗用穴が穿たれた織編布製又は不織布製の布片を敷設し、上記畝の地表を布片用穴を穿ったマルチングシートで覆って上記布片の少なくとも苗用穴の周囲部分を露出させる一方、上記畝の上方を蝶及び蛾の侵入を阻止し得る目開きのネットで覆うようにしたことを特徴とする。
【０００８】
本発明の第１の特徴は織編布製又は不織布製の布片で葉菜の茎廻りを覆うようにした点にある。これにより、苗から葉菜に成長するまでの間、雑草が生えるのを防止できるとともに、土中からナメクジが這い上がって来るのを阻止して苗や成長した葉菜がナメクジの被害にあうのを防止できる。
【０００９】
第２の特徴はマルチングシートで畝の地表を覆うようにした点にある。これにより、畝に雑草が生えるのを防止できるとともに、ナメクジが土中から這い上がってきたり地表を這ってくるのを阻止して苗や成長した葉菜がナメクジの被害にあるのを防止できる。
【００１０】
第３の特徴は畝の上方を所定の目開きのネットで覆うようにした点にある。これにより、蝶や蛾が侵入して産卵するを阻止でき、又ナメクジもネットから内部に侵入し難い。
【００１１】
その結果、農薬を用いることなく、害虫による葉菜の被害を確実に防止でき、農薬の人体や環境に対する悪影響を解消できる。
【００１２】
また、マルチングシートによって畝の土中水分を保持できるので、みずみずしく、軟らかい食感で、しかも甘味のある葉菜が得られる。
【００１３】
葉菜の栽培は畝に種子を直播きするのではなく、苗床で苗を育て、採取した苗を畝に移植するという方法を採用することが多い。この苗を育てている際にも蝶や蛾が産卵すると、葉菜の害虫による食害が発生する。
【００１４】
そこで、移植すべき苗の採取するにあたり、苗床に種子を蒔いた後苗を採取するまでの間、苗床の上方を蝶及び蛾の侵入を阻止し得る目開きのネットで覆うようにするのが好ましい。
【００１５】
ここで、葉菜とは具体的にはキャベツ、白菜、レタス、ケール、その他の葉を食する野菜をいう。
【００１６】
ところで、畝の全体をマルチングシートで覆うと、降雨が土中にしみ込み難く、葉菜の苗根廻りへの水分補給が阻害されることが懸念される。そこで、布片には通水性の布片を用い、降雨時に葉菜の根廻りへの水分の補給を確保するのが好ましい。織編布の場合には織編目の大きさや厚みを選択することによって布片の所望の通水性を確保できる。また、不織布の場合には１ｍ２当たりの重量、即ち目付けを選択することによって布片の所望の通水性を確保することができる。
【００１７】
布片は織編布又は不織布であれば特に素材は限定されず、例えば天然繊維、合成繊維、再生繊維、生分解性繊維を用いることができる。
【００１８】
また、マルチングシートの１つの機能が防草である点を考慮すると、雑草に光が当たらないように黒色マルチングシートを用いるのが好ましい。また、黒色マルチングシートでは直射日光が強くて周囲の温度が上昇しすぎるような場合には銀色のマルチングシートを用いることもできる。その他、どのようなマルチングシートを用いることもできる。
【００１９】
ネットは蝶や蛾の侵入を阻止し得る目開きであればよい。具体的には、葉菜の苗に十分な光があたるように空間率が８０％以上、蝶や蛾が侵入しないように１個の空隙の大きさが１００ｍｍ２以下であればよい。蝶や蛾には身体部分は小さいが羽根があり、羽根が通過し得ないような目開きとすればよい。例えば、目開きの形状を四角形状とする場合、短辺の寸法を１０ｍｍ以下とすれば蝶や蛾の侵入をほぼ阻止できるが、４ｍｍ以下とすると確実に阻止できる。
【００２０】
ネットは織編布又は不織布の形態を採用することができ、その素材は特に限定されないが、天然繊維、合成繊維、再生繊維、生分解性繊維の１つを用い、あるいは２つ以上を組合せてコンジュゲート、混紡、交織交編等の方法で混用してもよい。例えば、合成繊維にはポリオレフィン系、ポリビニルアルコール系，ポリアミド系、ポリエステル系、ポリアクリロニトル系、ポリ乳酸系等の繊維形成能を有する合成重合体を用いた繊維を用いることができる。また、例えば、家屋の窓枠に取付けられるネットを採用することもできる。
【００２１】
また、蝶や蛾の侵入を阻止し得る目開きのネットも新規である。即ち、本発明に係る葉菜無農薬栽培用のネットは、農薬を用いることなく葉菜を栽培するのに適したネットであって、空間率が８０％以上、１個の目開きが１００ｍｍ２以下であり、蝶及び蛾の侵入を阻止し得ることを特徴とする。
【００２２】
ところで、空間率が８０％以上で、１個の空隙の大きさが０．２０ｍｍ２〜２０ｍｍ２の織編物に、忌避剤が樹脂によって固着されたネットが提案されているが（特開２０００−１６６３９９号公報、参照）、忌避剤を用いているので、降雨時に忌避剤が溶け出して葉菜に付着することが懸念され、無農薬栽培という点からは採用し難い。
【００２３】
【発明の実施の形態】
以下、本発明を図面に示す具体例に基づいて詳細に説明する。図１ないし図４は本発明に係る葉菜の無農薬栽培方法の好ましい実施形態を示す。例えば、キャベツを栽培する場合、畑を耕して苗床をつくり、種子を巻いて苗を育てる。その時、苗床にほぼＵ字状の支柱を刺して立て、苗床の上をネットで覆っておく。このネットには天然繊維、合成繊維、再生繊維、生分解性繊維を素材とする織編布又は不織布を用い、十分に光が通過するように空間率がほぼ８４％で、１個の空隙の形状がほぼ四角形状をなし、蝶や蛾が侵入しないように四角形の短辺が４ｍｍ程度で、空隙の大きさがほぼ１７ｍｍ２の目開きに製作したものを用いる。
【００２４】
苗が十分に育つと、苗床から苗５０を採取する一方，畑に畝１０を作り、採取した苗５０を畝１０に移植する。
【００２５】
畝１０の苗を移植した箇所には布片２０を敷設する。この布片２０には中央に移植した苗５０が成長し得る大きさの苗用穴２１を穿っておく。また、布片２０には必要に応じて切れ目を入れ、移植した苗５０を苗用穴２１に入れやすいようにする。
【００２６】
この布片２０には天然繊維、合成繊維、再生繊維、生分解性繊維を素材とする織編布又は不織布を用いるが、通水性を有するように製作したものを用いる。
【００２７】
次に、その上をマルチングシート３０で覆う。マルチングシート３０には布片２０に対応する箇所に布片用穴３１を穿っておき、布片２０は露出するが、畝１０の地表は露出しないようにマルチングシート３０で覆う。
【００２８】
こうして準備ができると、畝１０には長手方向に所定の間隔をあけて支柱４１を逆Ｕ字状に突き刺して立てておく。
【００２９】
種子が芽を出し、苗５０が成長してくると、苗採取を行うが、この段階から苗５０の上方をネット４０で覆う。このネット４０には天然繊維、合成繊維、再生繊維、生分解性繊維を素材とする織編布又は不織布を用い、光が十分に透過するように空間率がほぼ８４％で、１個の空隙の形状がほぼ四角形状をなし、蝶や蛾が侵入しないように四角形の短辺が４ｍｍ程度で、空隙の大きさがほぼ１７ｍｍ２の目開きに製作したものを用いる。
【００３０】
このようにしてキャベツを栽培すると、布片２０で苗５０の根廻りを覆っているので、苗の時期において雑草が生えるのを防止できるとともに、土中からナメクジが這い上がって来るのを阻止できる。
【００３１】
また、マルチングシート３０で畝１０の地表を覆っているので、畝１０に雑草が生えるのを防止できるとともに、ナメクジが土中から這い上がってきたり地表を這ってくるのを阻止できる。
【００３２】
さらに、畝の上方を所定の目開きのネット４０で覆っているので、蝶や蛾が侵入して産卵するを阻止でき、又ナメクジもネットから内部に侵入し難い。
【００３３】
その結果、農薬を用いることなく、害虫による葉菜の被害を確実に防止でき、農薬の人体や環境に対する悪影響を解消できる。
【００３４】
また、マルチングシート３０によって畝１０の土中水分を保持できるので、みずみずしく、軟らかい食感で、甘味のあるキャベツが得られる。
【図面の簡単な説明】
【図１】本発明に係る葉菜の無農薬栽培方法の好ましい実施形態を示す概略斜視図である。
【図２】上記実施形態を示す断面図である。
【図３】上記実施形態を示す平面図である。
【図４】上記実施形態における布片を示す斜視図である。
【符号の説明】
１０　　　畝
２０　　　布片
２１　　　苗用穴
３０　　　マルチングシート
３１　　　布片用穴
４０　　　ネット
４１　　　支柱
５０　　　キャベツの苗
【図１】
2004113009.tif 000003
【図２】
2004113009.tif 000004
【図３】
2004113009.tif 000005
【図４】
2004113009.tif 000006